(57)【要約】【課題】パネルの温度上昇に伴う発光輝度の変化を抑制するための構成を簡素化しつつ、表現可能な階調数が減少するのを防止する。【解決手段】本発明に係る発光装置１００は、第１給電線１４と第２給電線１６との間に配置され、ゲートに対するオン電位の供給時に駆動電流を生成する駆動トランジスタＴDRと、第１給電線１４と第２給電線１６との間に配置され、駆動電流の供給により発光する発光素子Ｅと、を含む画素回路Ｕと、オン電位またはオフ電位を画素回路Ｕへ供給する駆動回路４０と、発光素子Ｅを流れる駆動電流の値と駆動電流の目標値との差分が所定の範囲内に収まるように、電圧Ｖddを可変に制御する制御回路３０と、を具備する。【選択図】      図７
2011017954.tif 000002
【特許請求の範囲】
【請求項１】
第１給電線と第２給電線との間に配置され、ゲートに対するオン電位の供給時に駆動電流を生成する駆動トランジスタと、
前記第１給電線と前記第２給電線との間に配置され、前記駆動電流の供給により発光する発光素子と、を含む画素回路と、
前記オン電位またはオフ電位を前記画素回路へ供給する駆動回路と、
前記発光素子を流れる前記駆動電流の値と前記駆動電流の目標値との差分が所定の範囲内に収まるように、前記第１給電線と前記第２給電線との間の電圧を可変に制御する制御回路と、を具備する
発光装置。
【請求項２】
複数の走査線と複数のデータ線との各交差に対応して複数の前記画素回路が配置され、前記各画素回路は、前記駆動トランジスタのゲートと当該画素回路に対応するデータ線との間に配置されて前記走査線の選択時に両者を導通させるスイッチング素子を備え、
前記駆動回路は、
１フィールド期間に含まれる複数のサブフィールド期間の各々において、前記各走査線を順番に選択し、選択した走査線に対応する画素回路の指定階調に応じて前記オン電位または前記オフ電位を前記各データ線へ出力し、
前記制御回路は、
前記複数のサブフィールド期間のうちの何れかのサブフィールド期間にて選択される一の前記走査線に対応する２以上の画素回路を流れる前記駆動電流の合計値と、当該２以上の画素回路の前記駆動電流の目標値との差分に応じて前記駆動電圧を可変に制御する、
請求項１の発光装置。
【請求項３】
前記１フィールド期間内における前記複数のサブフィールド期間の発光時間長は互いに異なり、
前記制御回路は、前記複数のサブフィールド期間のうち発光時間長が最も長いサブフィールド期間にて選択される一の前記走査線に対応する２以上の画素回路を流れる前記駆動電流の合計値と、当該２以上の画素回路の前記駆動電流の目標値との差分に応じて前記駆動電圧を可変に制御する、
請求項２の発光装置。
【請求項４】
請求項１から請求項３の何れかの発光装置を具備する電子機器。
【請求項５】
第１給電線と第２給電線との間に配置され、ゲートに供給されるオン電位またはオフ電位に応じてオン状態とオフ状態とが切り替わり、前記オン状態のときに駆動電流を生成する駆動トランジスタと、前記第１給電線と前記第２給電線との間に配置され、前記駆動電流の供給により発光する発光素子と、を含む画素回路の駆動方法であって、
前記発光素子を流れる前記駆動電流の値と前記駆動電流の目標値との差分が所定の範囲内に収まるように、前記第１給電線と前記第２給電線との間の電圧を可変に制御する、
画素回路の駆動方法。
【発明の詳細な説明】
【技術分野】
【０００１】
本発明は、発光装置および電子機器、画素回路の駆動方法に関する。
【背景技術】
【０００２】
従来、２値のデジタルデータに応じてオンオフが切り替わる駆動トランジスタによって有機ＥＬ（Electroluminescence）素子などの発光素子へ供給する駆動電流が制御される、いわゆるデジタル駆動型の発光装置が知られている（例えば特許文献１参照）。特許文献１には、発光素子を流れる電流が所定の閾値を超えた場合には、当該電流量に応じた補正係数を算出して当該補正係数を画像データに乗算することで輝度補正を行う技術が開示されている。
【先行技術文献】
【特許文献】
【０００３】
【特許文献１】特開２００７−３２３０８３号公報
【発明の概要】
【発明が解決しようとする課題】
【０００４】
しかしながら、特許文献１の技術では、補正係数を演算するための回路が必要になるために構成が複雑化するうえ、画像データを補正すると、表現可能な階調数が少なくなってしまうという問題が起こる。
以上の事情に鑑みて、本発明は、輝度補正を行う構成を簡素化するとともに、輝度補正を行うことで表現可能な階調数が少なくなることを防止することを目的とする。
【課題を解決するための手段】
【０００５】
以上の課題を解決するために、本発明に係る発光装置は、第１給電線と第２給電線との間に配置され、ゲートに対するオン電位の供給時に駆動電流を生成する駆動トランジスタと、第１給電線と第２給電線との間に配置され、駆動電流の供給により発光する発光素子と、を含む画素回路と、オン電位またはオフ電位を画素回路へ供給する駆動回路と、発光素子を流れる駆動電流の値と駆動電流の目標値との差分が所定の範囲内に収まるように、第１給電線と第２給電線との間の電圧（例えば図１に示すＶdd、換言すれば画素回路の電源電圧）を可変に制御する制御回路とを具備する。
【０００６】
本発明においては、発光素子を流れる駆動電流の値と駆動電流の目標値との差分が所定の範囲内に収まるように、第１給電線と第２給電線との間の電圧が可変に制御されるから、輝度補正に際して画像データを補正する必要は無く、画像データの補正係数を演算する回路も不要となる。したがって、輝度補正を行う構成が簡素化されるとともに、輝度補正を行うことで表現可能な階調数が少なくなることもないという利点がある。
【０００７】
本発明に係る発光装置の具体的な態様として、複数の走査線と複数のデータ線との各交差に対応して複数の画素回路が配置され、各画素回路は、駆動トランジスタのゲートと当該画素回路に対応するデータ線との間に配置されて走査線の選択時に両者を導通させるスイッチング素子を備え、駆動回路は、１フィールド期間を分割する複数のサブフィールド期間の各々において、各走査線を順番に選択し、選択した走査線に対応する画素回路の指定階調に応じてオン電位またはオフ電位を各データ線へ出力し、制御回路は、１フィールド期間内における複数のサブフィールド期間のうちの何れかのサブフィールド期間にて選択される一の走査線に対応する２以上の画素回路を流れる駆動電流の合計値と、当該２以上の画素回路の駆動電流の目標値との差分に応じて駆動電圧を可変に制御する。
【０００８】
例えば、前述の特許文献１に開示された技術のように、全画素回路を流れる駆動電流の測定値に基づいて輝度補正を行う態様においては、その駆動方式によっては（例えばサブフィールド駆動方式など）全画素回路を流れる駆動電流を測定することは困難である。これに対して、本発明は、サブフィールド期間にて選択される一の走査線に対応する２以上の画素回路を流れる駆動電流を測定するという構成であるから、サブフィールド駆動方式を利用する態様であっても、実際に画素回路を流れる駆動電流を確実に測定することが可能である。そして、その測定値と目標値との差分に応じて駆動電圧を可変に制御することにより、駆動電流の補正を高精度に行うことができるという利点がある。
【０００９】
また、各画素回路には、製造時の誤差などに起因する特性のバラツキが存在するところ、２以上の画素回路を流れる駆動電流の合計値と、当該２以上の画素回路の駆動電流の目標値との差分に応じて駆動電圧を可変に制御するという本発明の態様によれば、ひとつの画素回路を流れる駆動電流の測定値とひとつの画素回路の駆動電流の目標値との差分に応じて駆動電圧を可変に制御する態様に比べて、各画素回路の特性のバラツキを加味した補正が行われるから、駆動電流の補正をより高精度に行うことができるという利点がある。
【００１０】
本発明に係る発光装置の態様として、１フィールド期間内における複数のサブフィールド期間の発光時間長は互いに異なり、制御回路は、複数のサブフィールド期間のうち発光時間長が最も長いサブフィールド期間にて選択される一の走査線に対応する２以上の画素回路を流れる駆動電流の合計値と、当該２以上の画素回路の駆動電流の目標値との差分に応じて駆動電圧を可変に制御する。この態様によれば、画素回路を流れる駆動電流を測定する期間を充分に確保できるから、画素回路を流れる駆動電流を高精度に測定できる。したがって、高精度に駆動電流の補正を行うことができるという利点がある。
【００１１】
本発明に係る発光装置は各種の電子機器に利用される。電子機器の典型例は、発光装置を表示装置として利用した機器である。本発明に係る電子機器としてはパーソナルコンピュータや携帯電話機が例示される。もっとも、本発明に係る発光装置の用途は画像の表示に限定されない。例えば、光線の照射によって感光体ドラムなどの像担持体に潜像を形成するための露光装置（光ヘッド）としても本発明の発光装置が適用される。
【００１２】
本発明は、画素回路を駆動する方法としても特定される。本発明に係る駆動方法は、第１給電線と第２給電線との間に配置され、ゲートに供給されるオン電位またはオフ電位に応じてオン状態とオフ状態とが切り替わり、オン状態のときに駆動電流を生成する駆動トランジスタと、第１給電線と第２給電線との間に配置され、駆動電流の供給により発光する発光素子と、を含む画素回路の駆動方法であって、発光素子を流れる駆動電流の値と駆動電流の目標値との差分が所定の範囲内に収まるように、第１給電線と第２給電線との間の電圧を可変に制御する。以上の駆動方法によっても本発明に係る発光装置と同様の効果が得られる。
【図面の簡単な説明】
【００１３】
【図１】本発明の実施形態に係る発光装置のブロック図である。
【図２】発光装置の動作を示すタイミングチャートである。
【図３】画素回路の回路図である。
【図４】ＯＬＥＤ素子の特性を示す図である。
【図５】定電流駆動時における各種パラメータの経時的変化を示す図である。
【図６】定電圧駆動時における各種パラメータの経時的変化を示す図である。
【図７】制御回路の具体的な動作（電流補正動作）を示すフローチャートである。
【図８】本実施形態の効果を説明するための図である。
【図９】本発明の変形例に係る画素回路の回路図である。
【図１０】本発明の変形例に係る画素回路の回路図である。
【図１１】本発明に係る電子機器の具体的な形態を示す斜視図である。
【図１２】本発明に係る電子機器の具体的な形態を示す斜視図である。
【図１３】本発明に係る電子機器の具体的な形態を示す斜視図である。
【発明を実施するための形態】
【００１４】
図１は、本発明の実施形態に係る発光装置１００の概略構成を示すブロック図である。発光装置１００は、画像を表示する表示装置として電子機器に搭載される。図１に示すように、発光装置１００は、複数の画素回路Ｕが配列された素子部１０と、電位生成回路２０と、各画素回路Ｕを制御する制御回路３０と、各画素回路Ｕを駆動する駆動回路４０とを具備する。図１においては、電位生成回路２０と制御回路３０と駆動回路４０とが別個の回路として図示されているが、これらの回路の一部または全部が単一の回路とされた構成も採用され得る。
【００１５】
素子部１０には、Ｘ方向に延在するｍ本の走査線１２と、Ｘ方向に交差するＹ方向に延在するｎ本のデータ線１８とが形成される（ｍ，ｎは自然数）。複数の画素回路Ｕは、各走査線１２と各データ線１８との交差に配置されて縦ｍ行×横ｎ列の行列状に配列する。
【００１６】
電位生成回路２０は、各画素回路Ｕの電源電位を生成する手段である。より具体的には、電位生成回路２０は、高位側電位ＶELを生成して第１給電線１４へ出力するとともに、低位側電位ＶCTを生成して第２給電線１６へ出力する。第１給電線１４および第２給電線１６は各画素回路Ｕに共通に接続される。
【００１７】
図１に示すように、第１給電線１４は、素子部１０において各々がＸ方向に延在するｍ本の給電線１５[１]〜１５[ｍ]に分岐する。各給電線１５[１]〜１５[ｍ]には当該給電線１５に対応する行のｎ個の画素回路Ｕが接続される。例えば第ｉ行（１≦ｉ≦ｍ）の給電線１５[ｉ]には、第ｉ行のｎ個の画素回路Ｕが接続されるという具合である。図１に示すように、第１行の給電線１５[１]のうち第１列目の画素回路Ｕに至るまでの経路には電流測定部５０が設けられている。電流測定部５０によって測定された電流値（アナログ値）AIは、Ａ／Ｄコンバータ６０にてデジタルデータdIに変換されて制御回路３０へ出力される。
【００１８】
制御回路３０は、発光装置１００の動作を規定する信号を電位生成回路２０や駆動回路４０へ出力する手段である。本実施形態では、制御回路３０は、Ａ／Ｄコンバータ６０から供給される電流値dIと、当該電流の目標値との差分に応じて、第１給電線１４と第２給電線１６との間の電圧Ｖddを指定する指定信号Ｓvを電位生成回路２０へ出力する。その詳細な内容については後述する。また、制御回路３０は、図示しない外部のコントロール回路から供給される画像信号Dataに基づいて、各画素回路Ｕの階調を指定する階調データｄを駆動回路４０へ出力する。さらに、制御回路２０は、クロック信号などの制御信号（図示省略）を駆動回路４０へ出力する。
【００１９】
駆動回路４０は、走査線駆動回路４２とデータ線駆動回路４４とを含んで構成される。走査線駆動回路４２は、走査信号ＧWR[１]〜ＧWR[ｍ]を生成して各走査線１２へ出力する。データ線駆動回路４４は、データ電位ＶＤ[１]〜ＶＤ[ｎ]を生成して各データ線１８へ出力する。データ電位ＶＤ[１]〜ＶＤ[ｎ]は、各画素回路Ｕの階調データｄに応じてオン電位またはオフ電位の何れかに設定される。
【００２０】
図２に示すように、本実施形態においては、１フィールド期間Ｆを複数のサブフィールド期間ＳＦ１〜ＳＦ４に分割するとともに、各サブフィールド期間ＳＦ１〜ＳＦ４において、発光素子Ｅのオンオフ（発光／非発光）を制御する期間を発光期間Ｔ（Ｔ１〜Ｔ４）として設定する。本実施形態では、各発光期間Ｔ１〜Ｔ４以外の期間では、発光素子Ｅはオフ状態（非発光状態）に設定される。図２に示すように、サブフィールド期間ＳＦ１には発光期間Ｔ１が含まれ、サブフィールド期間ＳＦ２には発光期間Ｔ２が含まれ、サブフィールド期間ＳＦ３には発光期間Ｔ３が含まれ、サブフィールド期間ＳＦ４には発光期間Ｔ４が含まれる。本実施形態では、発光期間Ｔ１〜ＳＦ４の各々の時間長は異なる。具体的には、各々の時間長は２のべき乗の相対比で表され（Ｔ１：Ｔ２：Ｔ３：Ｔ４＝１：２：４：８）、各発光期間Ｔ１〜Ｔ４のオンオフ（発光／非発光）を制御することによって１６階調の表現が可能になる。本実施形態では、階調データｄは、各発光期間Ｔ１〜Ｔ４のオンオフ（発光／非発光）を指定する４ビットのデジタルデータで表される。例えば「１０１０」の形で表される階調データｄは、発光期間Ｔ１およびＴ３の発光を指定し、発光期間Ｔ２およびＴ４の非発光を指定するデータである。
【００２１】
図３は、画素回路Ｕの回路図である。図３においては、第ｉ行の第ｊ列目（１≦ｊ≦ｎ）に位置する１個の画素回路Ｕのみが代表的に図示されている。図３に示すように、素子部１０には、Ｘ方向に延在する発光制御線１７がｍ本の走査線１２と１対１に対応して設けられる。発光制御線１７には、駆動回路４０（例えば走査線駆動回路４２）から発光制御信号ＧEL[ｉ]が供給される。
【００２２】
図３に示すように、画素回路Ｕは、発光素子Ｅと、駆動トランジスタＴDRと、発光制御トランジスタＴGELと、保持容量ＣSと、選択トランジスタＴSとを含んで構成される。発光素子Ｅ、駆動トランジスタＴDRおよび発光制御トランジスタＴGELは、第１給電線１４（給電線１５[ｉ]）と第２給電線１６とを連結する経路上に直列に配置される。発光素子Ｅは、相対向する陽極と陰極との間に有機ＥＬ（Electroluminescence）材料の発光層を介在させたＯＬＥＤ素子である。
【００２３】
駆動トランジスタＴDRは、ゲートに対するオン電位の供給時に駆動電流を生成する手段である。図３に示すように、駆動トランジスタＴDRは、そのソースが第１給電線１４（給電線１５[ｉ]）に接続されるとともにそのドレインが発光制御トランジスタＴGELに接続されるＰチャネル型のトランジスタである。駆動トランジスタＴDRのゲートとソースとの間には保持容量ＣSが介在する。また、駆動トランジスタＴDRのゲートとデータ線１８との間にはＮチャネル型の選択トランジスタＴSが配置される。選択トランジスタＴSのゲートは走査線１２に接続される。走査信号ＧWR[ｉ]がハイレベルに設定されると、選択トランジスタＴSはオン状態になり、データ線１８に出力されるデータ電位ＶＤ[ｊ]が、選択トランジスタＴSを介して駆動トランジスタＴDRのゲートへ供給されるとともに保持容量ＣSに書き込まれる。データ電位ＶＤ[ｊ]がオン電位の場合は、駆動トランジスタＴDRはオン状態になって駆動電流を生成する一方、データ電位ＶＤ[ｊ]がオフ電位の場合は、駆動トランジスタＴDRはオフ状態になって駆動電流は生成されない。駆動電流の値は、第１給電線１４（給電線１５[ｉ]）と第２給電線１６との間の電圧Ｖddの値に応じて決まり、オン状態のときの駆動トランジスタＴDRのドレイン−ソース間の電圧は、指定階調の高低によらずに一定の値になる（定電圧駆動）。言い換えれば、駆動トランジスタＴDRはスイッチとして機能するものであり、駆動トランジスタＴDRがオン状態のときに発光素子Ｅへ流れる駆動電流の値は、指定階調の高低によらずに一定の値になる。
【００２４】
発光制御トランジスタＴGELは、発光素子Ｅに対する駆動電流の供給の可否を決定する手段である。図３に示すように、発光制御トランジスタＴGELは、そのソースが駆動トランジスタＴDRのドレインに接続されるとともにそのドレインが発光素子Ｅの陽極に接続されるＰチャネル型のトランジスタである。発光制御トランジスタＴGELのゲートは発光制御線１７に接続される。
【００２５】
次に、図２を参照しながら、駆動回路４０の具体的な動作を説明する。図２において、第ｉ行に着目して説明すると、各サブフィールド期間ＳＦ１〜ＳＦ４は、書込期間Wと、書込期間Wの直後の発光制御期間Lと、非発光期間とに区分される。各発光期間Ｔ１〜Ｔ４は、書込期間Wと発光制御期間Lとで構成される。以下、第ｉ行に着目して、駆動回路４０の動作を説明する。駆動回路４０（例えば走査線駆動回路４２）は、各発光期間Ｔ１〜Ｔ４内の書込期間Wにおいて走査信号ＧWR[ｉ]をハイレベルに設定し、それ以外の期間で走査信号ＧWR[ｉ]をローレベルに設定する。走査信号ＧWR[ｉ]のハイレベルへの遷移は第ｉ行の各画素回路Ｕの選択を意味する。また、駆動回路４０（例えばデータ線駆動回路４４）は、各発光期間Ｔ１〜Ｔ４内の書込期間Wにおいて、第ｉ行の走査線１２に属するｎ個の画素回路Ｕの各々の階調データｄに応じたデータ電位ＶＤ[１]〜ＶＤ[ｎ]を各データ線１８へ出力する。例えば、第ｉ行の第ｊ列目に位置する画素回路Ｕの階調データｄが「１０１０」である場合、駆動回路４０は、発光期間Ｔ１およびＴ３の各々の書込期間Wにおいて第ｊ列目のデータ線１８へ出力するデータ電位ＶＤ[ｊ]をオン電位に設定し、発光期間Ｔ２およびＴ４の各々の書込期間Wにおいて当該データ線１８へ出力するデータ電位ＶＤ[ｊ]をオフ電位に設定するという具合である。
【００２６】
駆動回路４０（例えば走査線駆動回路４４）は、発光期間Ｔ１〜Ｔ４内の発光制御期間Lにおいて発光制御信号ＧEL[ｉ]をアクティブレベル（ローレベル）に設定する。これにより、各画素回路Ｕの発光制御トランジスタＴGELがオン状態になって発光素子Ｅに対する駆動電流の供給が許容され、直前の書込期間Wにて保持容量ＣSに書き込まれたデータ電位Ｄに応じて発光素子Ｅのオンオフが制御される。より具体的には、書込期間Wにて保持容量ＣSに書き込まれたデータ電位Ｄがオン電位の場合、直後の発光制御期間Lにおいて発光素子Ｅには駆動電流が流れてオン状態（発光状態）となる。一方、データ電位Ｄがオフ電位の場合、直後の発光期間Lにおいて発光素子Ｅには駆動電流が流れないからオフ状態（非発光状態）となる。前述したように、本実施形態では、各サブフィールド期間ＳＦ１〜ＳＦ４内の発光期間Ｔ１〜Ｔ４の時間長は異なるため、発光制御信号ＧEL[ｉ]がローレベルに維持される期間も発光期間Ｔごとに異なる。
駆動回路４０は、各発光期間Ｔ１〜Ｔ４内の発光制御期間L以外の期間においては、発光制御信号ＧEL[ｉ]を非アクティブレベル（ハイレベル）に設定する。したがって、各発光期間Ｔ１〜Ｔ４内の発光制御期間L以外の期間においては、各画素回路Ｕは強制的にオフ状態（非発光状態）に設定される。駆動回路４０は、他の行についても同様の動作を行う。
【００２７】
ところで、ＯＬＥＤ素子を用いた発光装置は、発光を続けているとパネル温度が上昇する。図４は、ＯＬＥＤ素子の温度変化に伴う各特性の変化を示す図である。図５は、このようなＯＬＥＤ素子を定電流駆動（アナログ駆動）で駆動するとともに同じ階調で発光させ続けた場合におけるパネルの温度、ＯＬＥＤ素子の駆動電圧、駆動電流および輝度の各々の経時的変化を表している。定電流駆動の場合、ＯＬＥＤ素子に供給される駆動電流は、駆動トランジスタのゲート・ソース間の電圧に応じて決まり、駆動トランジスタのゲート・ソース間の電圧は、ＯＬＥＤ素子の指定階調に応じた値に設定される。そして、駆動トランジスタのゲート・ソース間の電圧が所定の値（指定階調に応じた値）に設定されている限り、駆動トランジスタのドレイン−ソース間の電圧が変動しても、ＯＬＥＤ素子へ供給される駆動電流は、そのときの駆動トランジスタのゲート・ソース間の電圧に応じた値に維持される（定電流駆動）。図５に示すように、ＯＬＥＤ素子を定電流駆動した場合、時間の経過と共にパネルの温度が上昇しても、駆動電流は一定の値に維持されるから、パネルの温度上昇に伴う輝度の変化が抑制されることが分かる。
【００２８】
一方、図６は、本実施形態のようにＯＬＥＤ素子を定電圧駆動（デジタル駆動）で駆動するとともに同じ階調で発光させ続けた場合におけるパネルの温度、ＯＬＥＤ素子の駆動電圧、駆動電流および輝度の各々の経時的変化を表している。図６に示すように、ＯＬＥＤ素子を定電圧駆動した場合、パネル温度の上昇に伴って駆動電流が増加し、その結果、発光輝度も増大することが分かる。つまり、ＯＬＥＤ素子を定電圧駆動した場合は、ＯＬＥＤ素子を定電流駆動した場合に比べて、パネルの温度上昇に伴う発光輝度の増大量が大きいため実用上大きな問題となる。
【００２９】
ここで、定電圧駆動を採用する発光装置において、パネルの温度の上昇に伴う駆動電流の増加を抑制する技術としては、例えば前述の特許文献１のように、全画素回路を流れる駆動電流の値が所定の閾値を越えた場合には、当該電流量に応じた補正係数を算出して当該補正係数を画像データに乗算することで輝度補正を行うという技術がある。しかしながら、例えば上述の実施形態のように、サブフィールド駆動方式が採用される態様においては、全画素回路を流れる駆動電流を測定することが困難であるため、輝度補正を高精度に行うことはできないという問題が発生する。また、特許文献１に開示された技術では、補正係数を演算するための回路が必要になるために構成が複雑化するうえ、画像データを補正すると、表現可能な階調数が少なくなるという問題もある。
【００３０】
これに対して、本実施形態においては、制御回路３０は、サブフィールド期間ＳＦ１〜ＳＦ４のうちの何れかのサブフィールド期間ＳＦにて選択される一の走査線１２に属するｎ個の画素回路Ｕのうち発光が指示された画素回路Ｕを流れる駆動電流の合計値と、当該駆動電流の目標値との差分に応じて、第１給電線１４と第２給電線１６との間の電圧Ｖddを可変に制御する。以下、図７を参照しながら、制御回路３０によって実行される電流補正動作を説明する。電流補正動作は、所定の周期で繰り返し実行される。ここでは、駆動電流の測定を行う１行分（ｎ個）の画素回路Ｕの集合を「対象ライン」と呼ぶ。本実施形態では、第１行に属するｎ個の画素回路Ｕが対象ラインとなる。
【００３１】
図７に示すように、制御回路３０は、画像データDataを受信すると（ステップＳ１）、当該画像データDataに基づいて対象ラインの階調データｄを生成するとともに、電流測定を行うサブフィールド期間ＳＦ（以下、「測定サブフィールド期間ＳＦ」という）を特定する。例えば、制御回路３０は、サブフィールド期間ＳＦ１〜ＳＦ４のうち発光時間長が最も長いサブフィールド期間ＳＦ４を、測定サブフィールド期間ＳＦとして特定することが可能である。この態様によれば、対象ラインを流れる駆動電流を測定する期間を充分に確保できるから、対象ラインを流れる駆動電流を高精度に測定できるという利点がある。
【００３２】
そして、制御回路３０は、階調データｄをデータ線駆動回路４４へ出力して対象ラインの発光制御を行い（ステップＳ２）、測定サブフィールド期間ＳＦにおいて、対象ラインに属するｎ個の画素回路Ｕのうち発光が指示された画素回路Ｕを流れる駆動電流の合計値Ｉelを電流測定部５０によって測定する（ステップＳ３）。また、制御回路３０は、対象ラインに属するｎ個の画素回路Ｕのうち、測定サブフィールド期間ＳＦにおいて発光が指示された画素回路Ｕの数（発光ドット数）をカウントする（ステップＳ４）。制御回路３０は、ステップＳ４にてカウントした画素回路Ｕの数と、オン状態のときにひとつの画素回路Ｕを流れる駆動電流の値（想定値）とを乗算することで、駆動電流の目標値Ｉsumを算出する（ステップＳ５）。
【００３３】
続いて、制御回路３０は、ステップＳ３にて得られた駆動電流の合計値ＩelとステップＳ５にて算出した駆動電流の目標値Ｉsumとの差分ΔＩを算出し（ステップＳ６）、当該差分ΔＩが許容変動幅Ｐeを超えているか否かを判定する（ステップＳ７）。ステップＳ７の結果が肯定であれば、制御回路３０は、駆動電流の合計値Ｉelが目標値Ｉsumに近づくように、電圧Ｖddを可変に制御する（ステップＳ８）。より具体的には、合計値Ｉelが目標値Ｉsumを上回る場合は、電圧Ｖddの値を小さくすることで、各画素回路Ｕの駆動電流値を減少させる一方、合計値Ｉelが目標値Ｉsumを下回る場合は、電圧Ｖddの値を大きくすることで、各画素回路Ｕの駆動電流値を増加させるという具合である。制御回路３０は、変更後の電圧Ｖddの値を指定する指定信号Ｓvを電位生成回路４０へ出力する。電位生成回路４０は、制御回路３０から出力された指定信号Ｓvに応じて電圧Ｖddを生成する。一方、ステップＳ７の結果が否定であれば、上述の補正動作は行われない。
【００３４】
図８は、本実施形態の効果を説明するための図である。図８は、本実施形態において、素子部１０の各画素回路Ｕを同じ階調で発光させ続けた場合における素子部１０（パネル）の温度、電圧Ｖdd、ひとつの画素回路Ｕを流れる駆動電流および輝度の各々の経時的変化を表している。図８の点線部分は、制御回路３０が前述の電流補正機能を有しない態様（以下、「対比例」という）におけるデータを示すものである。図８に示すように、対比例においては、パネルの温度の上昇に伴って駆動電流が増加し、その結果、発光輝度も増大することが分かる。
【００３５】
一方、本実施形態においては、画素回路Ｕを実際に流れる駆動電流の値と当該駆動電流の目標値との差分が許容変動幅を超えた場合には、画素回路Ｕを実際に流れる駆動電流の値が目標値に近づくように、電圧Ｖddが可変に制御されるから、図８に示すように、パネル温度の上昇に伴う駆動電流の増加が抑制される。したがって、発光輝度の増大を対比例に比べて抑制できる。すなわち、本実施形態によれば、パネル温度が時間の経過と共に上昇しても、発光輝度の変化が一定の範囲内に抑えられるから、対比例に比べて表示品質の劣化を抑制できる。
【００３６】
また、本実施形態では、測定サブフィールド期間ＳＦにおいて、対象ラインに属するｎ個の画素回路Ｕのうち発光が指示された画素回路Ｕを流れる駆動電流の合計値Ｉelを電流測定部５０によって測定することにより、対象ラインを実際に流れる駆動電流の値を測定することが可能である。そして、当該測定値Ｉelと目標値Ｉsumとの差分ΔＩに応じて電圧Ｖddを可変に制御することにより、前述の特許文献１に開示された技術に比べて、駆動電流の補正を高精度に行うことができる。本実施形態においては、前述の特許文献１に開示された技術とは異なり、輝度補正に際して画像データDataを補正する必要は無いから、画像データDataの補正係数を演算する回路を設ける必要は無く、表現可能な階調数が少なくなることもない。したがって、輝度補正を行う構成が簡素化されるとともに、輝度補正を行うことで表現可能な階調数が少なくなることもないという特有の効果が得られる。
【００３７】
＜変形例＞
本発明は上述した実施形態に限定されるものではなく、例えば、以下の変形が可能である。また、以下に示す変形例のうちの２以上の変形例を組み合わせることもできる。
【００３８】
（１）変形例１
画素回路Ｕの構成は、図３の態様に限らず、例えば図９に示す態様とすることもできる。図９の態様では、Ｎチャネル型の発光制御トランジスタＴGELが、駆動トランジスタＴDRのゲートとソースとの間に配置される点で上述の実施形態と相違する。図９の態様では、発光制御信号ＧEL[ｉ]がアクティブレベル（ハイレベル）に遷移すると、発光制御トランジスタＴGELはオン状態となり、駆動トランジスタＴDRのゲートとソースとが導通する。これにより、駆動トランジスタＴDRはオフ状態に遷移する。図６の態様において、駆動回路４０（例えば走査線駆動回路４２）は、発光素子Ｅをオフ状態に設定する期間においては発光制御信号ＧEL[ｉ]をハイレベルに設定する一方、発光素子Ｅをオン状態に設定する期間においては発光制御信号ＧEL[ｉ]をローレベル（非アクティブレベル）に設定する。
【００３９】
また、画素回路Ｕの構成を、図１０に示す態様とすることもできる。図１０の態様では、発光制御トランジスタＴGELが設けられない点で上述の実施形態と相違する。図１０の態様において、駆動回路４０は、発光素子Ｅをオフ状態に設定する期間においては駆動トランジスタＴDRのゲートにオフ電位が書き込まれ、発光素子Ｅをオン状態に設定する期間においては駆動トランジスタのゲートにオン電位が書き込まれるように、各駆動回路Ｕを駆動するという具合である。
【００４０】
（２）変形例２
上述の実施形態では、１フィールド期間Ｆ内に４つのサブフィールド期間ＳＦ１〜ＳＦ４が含まれる態様が例示されているが、これに限らず、１フィールド期間Ｆ内に含まれるサブフィールド期間ＳＦの数は任意である。例えば、１フィールド期間Ｆ内に５つ以上のサブフィールド期間ＳＦが含まれる態様とすることもできるし、３つ以下のサブフィールド期間ＳＦが含まれる態様とすることもできる。また、上述の実施形態では、各発光期間Ｔ１〜Ｔ４の時間長が異なる態様が例示されているが、これに限らず、各発光期間Ｔ１〜Ｔ４の時間長は任意である。
【００４１】
（３）変形例３
上述の実施形態では、対象ラインに属するｎ個の画素回路Ｕを流れる駆動電流の合計値Ｉelを測定し、その合計値Ｉelと目標値Ｉsumとの差分ΔＩに応じて電圧Ｖddを可変に制御しているが、これに限らず、例えば対象ラインに属するｎ個の画素回路Ｕのうちのひとつの画素回路Ｕを流れる駆動電流の測定値と、ひとつの画素回路Ｕを流れる駆動電流の目標値との差分に応じて電圧Ｖddを可変に制御することもできる。また、例えば対象ラインに属するｎ個の画素回路Ｕのうちの一部の２以上の画素回路Ｕを流れる駆動電流の合計の測定値と、当該２以上の画素回路Ｕを流れる駆動電流の目標値との差分に応じて電圧Ｖddを可変に制御することもできる。各画素回路Ｕには、製造時の誤差などに起因する特性のバラツキが存在するところ、２以上の画素回路Ｕを流れる駆動電流の合計の測定値と、当該２以上の画素回路Ｕの駆動電流の目標値との差分に応じて電圧Ｖddを可変に制御するという態様によれば、ひとつの画素回路Ｕを流れる駆動電流の測定値とひとつの画素回路Ｕの駆動電流の目標値との差分に応じて電圧Ｖddを可変に制御する態様に比べて、各画素回路Ｕの特性のバラツキを加味した補正が行われるから、駆動電流の補正をより高精度に行うことができるという利点がある。
【００４２】
（４）変形例４
上述の電流補正動作を行う際に、制御回路３０はサブフィールド期間ＳＦ１〜ＳＦ４のうち発光時間長が最も長いサブフィールド期間ＳＦ４を、測定サブフィールド期間ＳＦとして特定しているが、これに限らず、測定サブフィールド期間ＳＦの特定方法は任意である。ただし、発光時間長が最も長いサブフィールド期間ＳＦを、測定サブフィールド期間ＳＦとして特定するという態様によれば、対象ラインを流れる駆動電流を測定する期間を充分に確保できるから、対象ラインを流れる駆動電流を高精度に測定できるという利点がある。
【００４３】
（５）変形例５
上述の実施形態では、第１行に属するｎ個の画素回路Ｕを対象ラインとしているが、これに限らず、対象ラインは任意に設定可能である。そして、対象ラインの行に対応する給電線１５のうち第１列目の画素回路Ｕに至るまでの経路に電流測定部５０が設けられるという具合である。また、対象ラインを、発光に寄与しないダミーの画素回路Ｕで構成する態様とすることもできる。
【００４４】
（６）変形例６
上述の実施形態では、制御回路３０は、電流測定部５０にて測定された駆動電流と、当該駆動電流の目標値との差分に応じて電圧Ｖddを可変に制御して駆動電流の補正を行っているが、例えば、電流測定部５０の代わりにパネルの温度を測定する温度センサを設け、当該温度センサにて検出されるパネルの温度に応じて電圧Ｖddを可変に制御するという構成を採用することも可能である。
【００４５】
（７）変形例７
発光素子Ｅは、ＯＬＥＤ素子であってもよいし、無機発光ダイオードやＬＥＤ（Light Emitting Diode）であってもよい。要は、電気エネルギーの供給（電界の印加や電流の供給）に応じて発光する総ての素子を本発明の発光素子として利用できる。
【００４６】
＜応用例＞
次に、本発明に係る発光装置を利用した電子機器について説明する。図１１は、以上に説明した実施形態に係る発光装置１００を表示装置として採用したモバイル型のパーソナルコンピュータの構成を示す斜視図である。パーソナルコンピュータ２０００は、表示装置としての発光装置１００と本体部２０１０とを備える。本体部２０１０には、電源スイッチ２００１およびキーボード２００２が設けられている。この発光装置１００は発光素子ＥにＯＬＥＤ素子を使用しているので、視野角が広く見易い画面を表示できる。
【００４７】
図１２に、以上に説明した実施形態に係る発光装置１００を表示装置として採用した携帯電話機の構成を示す。携帯電話機３０００は、複数の操作ボタン３００１およびスクロールボタン３００２、ならびに発光装置１００を備える。スクロールボタン３００２を操作することによって、発光装置１００に表示される画面がスクロールされる。
【００４８】
図１３に、以上に説明した実施形態に係る発光装置１００を表示装置として採用した携帯情報端末（ＰＤＡ：Personal Digital Assistants）の構成を示す。情報携帯端末４０００は、複数の操作ボタン４００１および電源スイッチ４００２、ならびに発光装置１００を備える。電源スイッチ４００２を操作すると、住所録やスケジュール帳といった各種の情報が発光装置１０に表示される。
【００４９】
なお、本発明に係る発光装置が適用される電子機器としては、図１１から図１３に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置１００の用途は画像の表示に限定されない。例えば、電子写真方式の画像形成装置において露光により感光体ドラムに潜像を形成する露光装置としても本発明の発光装置１００は利用される。
【符号の説明】
【００５０】
１０……素子部、１２……走査線、１４……第１給電線、１６……第２給電線、１７……発光制御線、１８……データ線、２０……電位生成回路、３０……制御回路、４０……駆動回路、４２……走査線駆動回路、４４……データ線駆動回路、５０……電流測定部、６０……Ａ／Ｄコンバータ、１００……発光装置、ＣS……保持容量、Ｅ……発光素子、Ｆ……１フィールド期間、ＧWR……走査信号、ＧEL……発光制御信号、Ｔ１，Ｔ２，Ｔ３，Ｔ４……発光期間、ＳＦ１，ＳＦ２，ＳＦ３，ＳＦ４……サブフィールド期間、ＴDR……駆動トランジスタ、ＴS……選択トランジスタ、ＴGEL……発光制御トランジスタ、Ｓv……指定信号、Ｕ……画素回路。
【図１】
2011017954.tif 000003
【図２】
2011017954.tif 000004
【図３】
2011017954.tif 000005
【図４】
2011017954.tif 000006
【図５】
2011017954.tif 000007
【図６】
2011017954.tif 000008
【図７】
2011017954.tif 000009
【図８】
2011017954.tif 000010
【図９】
2011017954.tif 000011
【図１０】
2011017954.tif 000012
【図１１】
2011017954.tif 000013
【図１２】
2011017954.tif 000014
【図１３】
2011017954.tif 000015